Podtech/llm-jp-corpus-v4-ja_patent huggingface dataset:
【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
構造Ｉ
【化１】
2010536889.tif 000001
［式中、ｎが０または１であり、
Ｒ１およびＲ２は縮合して、メチレン（ＣＨ２）基を形成し、そして
Ｒ３は、水素、メチル、エチル、ｎ−プロピル、シクロプロピル、シクロブチル、アリル、プロパルギル、ヒドロキシエチル、３−フルオロプロピルおよび２−フルオロエチルからなる群から選択される］
を有する化合物またはその薬学的に許容可能な酸付加塩。
【請求項２】
Ｒ３が、水素、メチル、エチル、ｎ−プロピル、アリル、およびプロパルギルからなる群から選択される請求項１に記載の化合物。
【請求項３】
Ｒ３がメチルまたはｎ−プロピルである請求項１または２に記載の化合物。
【請求項４】
Ｒ３が、シクロプロピル、シクロブチル、およびヒドロキシエチルからなる群から選択される、請求項１に記載の化合物。
【請求項５】
ｎが０である、請求項１〜４のいずれか一項に記載の化合物。
【請求項６】
ｎが１である、請求項１〜５のいずれか一項に記載の化合物。
【請求項７】
さらに、実質的に純粋なトランス−ジアステレオ異性体であることを特徴とする、請求項１〜６のいずれか一項に記載の化合物。
【請求項８】
ｎが１であり、さらに、実質的に純粋な（６ａＲ，１０ａＲ）−エナンチオマーであることを特徴とする、請求項１に記載の化合物。
【請求項９】
前記化合物が（６ａＲ，１０ａＲ）−６，６ａ，７，８，９，１０，１０ａ，１１−オクタヒドロ−１，３−ジオキサ−７−アザ−シクロペンタ［ａ］アントラセン
またはその薬学的に許容可能な酸付加塩である、請求項１に記載の化合物。
【請求項１０】
前記化合物が（６ａＲ，１０ａＲ）−７−メチル−６，６ａ，７，８，９，１０，１０ａ，１１−オクタヒドロ−１，３−ジオキサ−７−アザシクロペンタ［ａ］アントラセンまたはその薬学的に許容可能な酸付加塩である、請求項１に記載の化合物。
【請求項１１】
前記化合物が（６ａＲ，１０ａＲ）−７−エチル−６，６ａ，７，８，９，１０，１０ａ，１１−オクタヒドロ−１，３−ジオキサ−７−アザ−シクロペンタ［ａ］アントラセンまたはその薬学的に許容可能な酸付加塩である、請求項１に記載の化合物。
【請求項１２】
前記化合物が（６ａＲ，１０ａＲ）−７−ｎ−プロピル−６，６ａ，７，８，９，１０，１０ａ，１１−オクタヒドロ−１，３−ジオキサ−７−アザ−シクロペンタ［ａ］アントラセンまたはその薬学的に許容可能な酸付加塩である、請求項１に記載の化合物。
【請求項１３】
治療的に有効な量の請求項１の構造Ｉの化合物と、１つまたは複数の薬学的に許容可能なキャリア、希釈剤または賦形剤とを含む医薬組成物。
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
治療有効量のＥＴB受容体アゴニストを含む、ことを特徴とする脳血管障害を治療するための医薬組成物。
【請求項２】
前記脳血管障害が、血栓症、塞栓症、または、出血に起因する請求項１に記載の医薬組成物。
【請求項３】
治療有効量のＥＴB受容体アゴニストを含む、ことを特徴とする脳卒中を治療するための医薬組成物。
【請求項４】
前記ＥＴB受容体アゴニストが、Ｎ-スクシニル-[Glu9、Ala11、15] エンドセリン １、ＥＴ-３、サラホトキシン ６ｃ、Ｎ-Ａｃ-Ala(11,15)-エンドセリン-１ (６-21)、Ala(１、３、11、15)ＥＴ-１、および、これらの混合物からなるグループから選択される請求項１乃至３のいずれかに記載の医薬組成物。
【請求項５】
前記ＥＴBアゴニストの量が、0.005〜500μｇ/用量である請求項１乃至４のいずれかに記載の医薬組成物。
【請求項６】
前記ＥＴBアゴニストの量が、0.005〜50μｇ/kg/点滴時間(分)である請求項１乃至４のいずれかに記載の医薬組成物。
【請求項７】
脳血管障害の治療において有用な治療有効量の神経保護薬をさらに含む請求項１または２に記載の医薬組成物。
【請求項８】
脳卒中の治療において有用な治療有効量の神経保護薬をさらに含む請求項３に記載の医薬組成物。
【請求項９】
前記神経保護薬が、血栓溶解剤、赤血球生成刺激剤、ＥＴAアンタゴニスト、酸素キャリア、および、これらの混合物からなるグループから選択される請求項７または８に記載の医薬組成物。
【請求項１０】
前記血栓溶解剤が、組織プラスミノゲン活性化因子を含む請求項９に記載の医薬組成物。
【請求項１１】
前記赤血球生成刺激剤が、エリスロポエチン、ダーベポエチン、エポエチンアルファ、および、これらの混合物からなるグループから選択される請求項９に記載の医薬組成物。
【請求項１２】
前記酸素キャリアが、ヘモグロビンを主成分とする代用血液、ペルフルオロカーボンを主成分とする代用血液、または、これらの混合物である請求項９に記載の医薬組成物。
【請求項１３】
前記ＥＴAアンタゴニストが、スルフォソキサゾール、クラゾセンタン、アトラセンタン、テゾセンタン、ボセンタン、シタクスセンタン、エンラセンタン、BMS 207940、BMS 193884、BMS 182874、J 104132、VML 588/Ro 61 1790、T-0115、TAK 044、BQ 788、TBC2576、TBC3214、PD180988、ABT 546、SB247083、RPR118031A、BQ123、および、これらの混合物から選択される請求項９に記載の医薬組成物。
【請求項１４】
前記神経保護薬が、アルガトロバン、アルフィメプラーゼ、テネクテプラーゼ、アンクロッド、シルデナフィル、インスリン、インスリン増殖因子、硫酸マグネシウム、ヒト血清アルブミン、カフェイノール、ミクロプラスミン、スタチン、エプチフィバチド、チンザパリン、エネカジン、シチコリン、エダラボン、シロスタゾール、ハイポサーミア、および、これらの混合物からなるグループから選択される請求項７または８に記載の医薬組成物。
【請求項１５】
賦形剤、および／または、薬学的に許容可能な担体をさらに含む請求項１乃至１４のいずれかに記載の医薬組成物。
【請求項１６】
ＥＴBアゴニストを含む包装された組成物、
ヒトの脳血管障害を治療するための当該組成物の同時投与または連続投与に関する指示を記した添付文書、および
当該組成物、および、当該添付文書のための容器、
を含むことを特徴とするキット。
【請求項１７】
ヒトの脳血管障害の治療において有用な神経保護薬を含む包装された組成物をさらに含む請求項１６に記載のキット。
【請求項１８】
ＥＴBアゴニストを含む包装された組成物、
ヒトの脳卒中を治療するための当該組成物の同時投与または連続投与に関する指示を記した添付文書、および
当該組成物、および、当該添付文書のための容器、
を含むことを特徴とするキット。
【請求項１９】
ヒトの脳卒中の治療において有用な神経保護薬を含む包装された組成物をさらに含む請求項１８に記載のキット。
【請求項２０】
前記ＥＴB受容体アゴニストが、Ｎ-スクシニル-[Glu9、Ala11、15] エンドセリン １、ＥＴ-３、サラホトキシン ６ｃ、Ｎ-Ａｃ-Ala(11,15)-エンドセリン-１ (６-21)、Ala(１、３、11、15)ＥＴ-１、および、これらの混合物からなるグループから選択される請求項１６または１８に記載のキット。
【請求項２１】
前記神経保護薬が、アルガトロバン、アルフィメプラーゼ、テネクテプラーゼ、アンクロッド、シルデナフィル、インスリン、インスリン増殖因子、硫酸マグネシウム、ヒト血清アルブミン、カフェイノール、ミクロプラスミン、スタチン、エプチフィバチド、チンザパリン、エネカジン、シチコリン、エダラボン、シロスタゾール、ハイポサーミア、および、これらの混合物からなるグループから選択される請求項１７または１９に記載のキット。
【請求項２２】
脳血管障害の治療剤を製造するためのＥＴB受容体アゴニストの使用。
【請求項２３】
前記脳血管障害が、血栓症、塞栓症、または、出血に起因する請求項２２に記載の使用。
【請求項２４】
脳血管障害の治療剤を製造するための請求項１または２に記載の医薬組成物の使用。
【請求項２５】
脳卒中の治療剤を製造するためのＥＴB受容体アゴニストの使用。
【請求項２６】
脳卒中の治療剤を製造するための請求項３に記載の医薬組成物の使用。
【請求項２７】
前記ＥＴB受容体アゴニストが、Ｎ-スクシニル-[Glu9、Ala11、15] エンドセリン １、ＥＴ-３、サラホトキシン ６ｃ、Ｎ-Ａｃ-Ala(11,15)-エンドセリン-１ (６-21)、Ala(１、３、11、15)ＥＴ-１、および、これらの混合物からなるグループから選択される請求項２２または２５に記載の使用。
【手続補正書】
【提出日】平成23年8月5日(2011.8.5)
【手続補正１】
【補正対象書類名】特許請求の範囲
【補正対象項目名】請求項８
【補正方法】変更
【補正の内容】
【請求項８】
Ａ、Ａ’が、各々、互いに独立して、１〜８個のＣ原子を有する非分枝状または分枝状アルキル（ここで１〜７個のＨ原子がＦおよび／またはＣｌにより置換されていてもよい）を示す、
請求項１〜７のいずれか一項に記載の化合物、あるいは、それらの薬学的に使用可能な誘導体、塩、溶媒和物、互変異性体または立体異性体、あるいはすべての比率でのそれらの混合物。
【手続補正２】
【補正対象書類名】特許請求の範囲
【補正対象項目名】請求項１２
【補正方法】変更
【補正の内容】
【請求項１２】
請求項１〜１０のいずれか一項に記載の式Ｉで表される少なくとも１種の化合物、および／または、これらの薬学的に使用可能な誘導体、塩、溶媒和物、互変異性体もしくは立体異性体、またはすべての比率でのこれらの混合物、ならびに、任意に賦形剤および／または補助剤を含む、医薬。
【手続補正３】
【補正対象書類名】特許請求の範囲
【補正対象項目名】請求項１７
【補正方法】変更
【補正の内容】
【請求項１７】
固形腫瘍が、扁平上皮、膀胱、胃、腎臓、頭頸部、食道、子宮頸部、甲状腺、腸、肝臓、脳、前立腺、尿生殖路、リンパ系、喉頭および／または肺の腫瘍の群に由来する、請求項１６に記載の使用。
【手続補正４】
【補正対象書類名】特許請求の範囲
【補正対象項目名】請求項２１
【補正方法】変更
【補正の内容】
【請求項２１】
腫瘍が、急性骨髄性白血病、慢性骨髄性白血病、急性リンパ性白血病および／または慢性リンパ性白血病の群に由来する、請求項２０に記載の使用。
【手続補正５】
【補正対象書類名】特許請求の範囲
【補正対象項目名】請求項２２
【補正方法】変更
【補正の内容】
【請求項２２】
請求項１〜１０のいずれか一項に記載の式Ｉで表される少なくとも１種の化合物および／または、これらの薬学的に使用可能な誘導体、溶媒和物または立体異性体、またはすべての比率でのこれらの混合物、ならびに少なくとも１種の他の医薬活性成分を含む、医薬。
【手続補正６】
【補正対象書類名】特許請求の範囲
【補正対象項目名】請求項２３
【補正方法】変更
【補正の内容】
【請求項２３】
（ａ）請求項１〜１０のいずれか一項に記載の式Ｉで表される化合物および／または、これらの薬学的に使用可能な誘導体、溶媒和物、塩または立体異性体、またはすべての比率でのこれらの混合物の有効量、
ならびに
（ｂ）さらなる医薬活性成分の有効量
の個別のパックからなる、セット（キット）。
【手続補正７】
【補正対象書類名】明細書
【補正対象項目名】０１０４
【補正方法】変更
【補正の内容】
【０１０４】
好ましいのは、さらに、血液および免疫系の腫瘍を処置するための、好ましくは急性骨髄性白血病、慢性骨髄性白血病、急性リンパ性白血病および／または慢性リンパ性白血病の群から選択される腫瘍を処置するための使用である。
【手続補正書】
【提出日】平成23年5月31日(2011.5.31)
【手続補正１】
【補正対象書類名】明細書
【補正対象項目名】００１７
【補正方法】変更
【補正の内容】
【００１７】
ポリアクリレート類は、一般に、種々の単量体（アクリル酸、メタクリル酸、アクリル酸エステル、及びメタクリル酸エステルを含むグループからの少なくとも一つの単量体）、及び特にそれらの混合物から重合することによって製造される。ある場合には水でもよいが、好ましくは有機溶媒が、適切なポリアクリレートの製造のための重合中の溶媒として使用される。重合において使用される単量体の構造に依存するが、官能基を含有し得るポリアクリレート類が得られる。官能基としてＯＨ基（ヒドロキシル基）を有するポリアクリレート類及びＣＯＯＨ基（カルボキシル基）を有するポリアクリレート類が広く使用されている。
【手続補正２】
【補正対象書類名】特許請求の範囲
【補正対象項目名】全文
【補正方法】変更
【補正の内容】
【特許請求の範囲】
【請求項１】
１つ又は複数の活性物質に対して不透過性である裏打部材、１つ又は複数の活性物質を含む層又は１つ又は複数の活性物質を含む幾つかの層、場合により取り外し可能な保護層を含み、これと共に１つ又は複数の活性物質を含む層の少なくとも一つが、一つの充填剤又は幾つかの充填剤を備えた、細長い中空体を含む経皮治療システムであって、１つ又は複数の充填剤を、中空体の構造を変えることによって中空体から放出し得ることを特徴とする経皮治療システム。
【請求項２】
中空体の構造における変化が、機械的、熱的、電気的、磁気的、電磁気的又は化学的エネルギーを供給することによってもたらされることを特徴とする、請求項１に記載の経皮治療システム。
【請求項３】
中空体の構造における変化が、圧力、熱、放射線、電流又は音によって、好ましくは圧力又は熱によって引き起されることを特徴とする、請求項１又は２に記載の経皮治療システム。
【請求項４】
充填剤が、少なくとも一つの活性物質を含み、そして１つ又は複数の活性物質の放出が、中空体の破壊、分解又は穿孔によって生じさせることを特徴とする、請求項１〜３の何れか１項に記載の経皮治療システム。
【請求項５】
１つ又は複数の活性物質を含む層が少なくとも二つの活性物質を含み、ここで活性物質の少なくとも一つが細長い中空体中にあり、そして中空体を破壊、分解又は穿孔によって、好ましくは所定の時間間隔後に放出されることを特徴とする、請求項１〜４の何れか１項に記載の経皮治療システム。
【請求項６】
中空体中に含有される充填剤が、１つ又は複数の活性物質を不活化する性質を有し、そして好ましくはアンタゴニストであることを特徴とする、請求項１〜５の何れか１項に記載の経皮治療システム。
【請求項７】
中空体中に含有される充填剤が、１つ又は複数の活性物質を破壊する性質を有し、そして好ましくは酸化剤であることを特徴とする、請求項１〜６の何れか１項に記載の経皮治療システム。
【請求項８】
充填剤が、皮膚から取り外される間のＴＴＳの機械的応力によって、好ましくは中空体の破壊の結果として中空体から放出されるだけであることを特徴とする、請求項６又は７に記載の経皮治療システム。
【請求項９】
１つ又は複数の活性物質を含有する層が、少なくとも一つの活性物質を、治療的に有効な塩の一つの形態で含有し、そして活性物質を塩の形態から遊離させる塩基性の添加剤が中空体中に含有されていることを特徴とする、請求項１〜８の何れか１項に記載の経皮治療システム。
【請求項１０】
１つ又は複数の活性物質を含有する層が、活性物質を塩の形態から遊離させる塩基性の添加剤を含有し、これと共にその治療的に有効な塩の一つの形態で少なくとも一つの活性物質が中空体中にあることを特徴とする、請求項１〜９の何れか１項に記載の経皮治療システム。
【請求項１１】
中空体の壁が半透性であるように設計され、そして充填剤が、好ましくは中空体への水の供給に起因する中空体の破壊を通じて放出されることを特徴とする、請求項１〜１０の何れか１項に記載の経皮治療システム。
【請求項１２】
中空体の外径が１ｎｍから１０００μｍ、好ましくは１０ｎｍから５００μｍ、特に好ましくは１０ｎｍから１００μｍ、そして格別好ましくは１０ｎｍから５０μｍであることを特徴とする、請求項１〜１１の何れか１項に記載の経皮治療システム。
【請求項１３】
中空体が脆弱で及び／又は柔軟であるように設計されていることを特徴とする、請求項１〜１２の何れか１項に記載の経皮治療システム。
【請求項１４】
中空体がORMOCER（登録商標）中空糸製であることを特徴とする、請求項１〜１３の何
れか１項に記載の経皮治療システム。
【請求項１５】
１つ又は複数の活性物質を含有する層が、皮膚に隣接する側上に感圧接着剤層をさらに有することを特徴とする、請求項１〜１４の何れか１項に記載の経皮治療システム。
【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
式Ｉ：
【化１】
2010536802.tif 000001
で表される化合物の調製方法であって、
式ＩＩ
【化２】
2010536802.tif 000002
で表されるアルコラートの生成、続くこのアルコラートと（Ａ）マグネシウム金属およびジブロモメタン、ならびに（Ｂ）ジブロモメタンおよび第三グリニャール試薬から選択される試薬系とのシクロプロパン化（ここで該シクロプロパン化はエーテル溶媒の存在下で行う）を含み、Ｃα、Ｃβ、ＣγおよびＱは、可能性（ａ）および（ｂ）：
（ａ）Ｃα、Ｃβ、Ｃγは、プロトン化されているか、または３個の炭素原子すべてについて合計５つまでの置換基で置換されていてもよい炭素原子を表し、該置換基はアルキル、アルケニル、シクロアルキルおよびシクロアルケニル基からなる群から選択され；
およびＱは、
（ｉ）１〜６個の炭素原子を有し、当該炭素原子がプロトン化されているかまたは置換されており、当該置換基がＣα、Ｃβ、Ｃγの置換基のいずれかから選択される、飽和または不飽和の炭素鎖；および
（ｉｉ）ＣαとＣβとを結合させる１つの共有結合
から選択される部分を表す；
および；
（ｂ）Ｃα、Ｃβ、ＣγおよびＱの全体または一部は、一緒にシクロアルキルまたはシクロアルケニル環を形成する；
に従って選択され、ならびに
（ｃ）Ｍはアルカリ金属、アルカリ土類金属またはアルカリ土類金属一ハロゲン化物である、
前記方法。
【請求項２】
シクロプロピルカルビノールの製造方法であって、アリルアルコラートの生成およびこのアリルアルコラートと（Ａ）マグネシウム金属およびジブロモメタンならびに（Ｂ）ジブロモメタンおよび第三グリニャール試薬から選択される試薬系とのシクロプロパン化（ここで該シクロプロパン化はエーテル溶媒の存在下で行う）を含む、前記方法。
【請求項３】
Ｑが単結合を表し、アリルアルコールの置換が、以下の可能性（ｉ）それらのα，γまたはβ，γ位において二置換されている、（ｉｉ）それらのα，β，γ位において三置換されている、（ｉｉｉ）α，β，γ，γ位において四置換されている、（ｉｖ）それらのα，α，β，γ，γ位において五置換されている、から選択される、請求項１に記載の方法。
【請求項４】
アルキル化およびシクロプロパン化を連続的な反応において行う、請求項１に記載の方法。
【請求項５】
エーテル溶媒が、ＴＨＦ、ＭＴＢＥおよびジエチルエーテルからなる群から選択される、請求項１に記載の方法。
【請求項６】
第三グリニヤール試薬がｔｅｒｔ−ブチルマグネシウムクロリドまたは塩化ｔｅｒｔ−アミルマグネシウムである、請求項１に記載の方法。
【請求項７】
フレーバーまたはフレグランス成分の製造であって、アリルアルコラートを請求項１または２に記載の方法によりシクロプロパン化することを含む、前記製造。
【請求項８】
（１−メチル−２−（１，２，２−トリメチルビシクロ［３．１．０］−ヘキサ−３−イルメチル）シクロプロピル）メタノールの製造方法であって、２−エチル−４（２，２，３−トリメチルシクロペンチル−３−エニル）ブタ−２−エン−１−オールと、リチウム試薬ならびに次にマグネシウムおよびジブロモメタンとを、エーテル溶媒の存在下で反応させることを含む、前記方法。
【請求項９】
以下の化合物：１−（２−エチルシクロプロピル）プロパン−２−オール；１−（５，５−ジメチル−ビシクロ［４．１．０］ヘプタン−１−イル）エタノール；ジスピロ［４．０．４．１］ウンデカン−４−オール；２，２，５ａ，７ａ−テトラメチルデカヒドロ−１Ｈ−ジシクロプロパ［ｂ，ｄ］ナフタレン−６ａ−イル）メタノール；または５−エチル−１，２−ジメチルビシクロ［３．１．０］ヘキサン−２−オール。
【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
ｉ）非高分子の除放性マトリクスと、
ｉｉ）少なくとも１種の生体適合性の酸素含有有機溶媒と、
ｉｉｉ）少なくとも１種のペプチド活性物質と、
ｉｖ）少なくとも１種の脂溶性の酸と、
の低粘度混合物を含む非水性前製剤。
【請求項２】
ｉ）脂質をベースとする除放性マトリクスと、
ｉｉ）少なくとも１種の生体適合性の酸素含有有機溶媒と、
ｉｉｉ）少なくとも１種のペプチド活性物質と、
ｉｖ）少なくとも１種の脂溶性の酸と、
の低粘度混合物を含む、請求項１に記載の非水性前製剤。
【請求項３】
ａ）少なくとも１種の中性ジアシル脂質および／またはトコフェロールと、
ｂ）少なくとも１種のリン脂質と、
ｃ）少なくとも１種の生体適合性の酸素含有有機溶媒と、
ｄ）少なくとも１種のペプチド活性物質と、
ｅ）少なくとも１種の脂溶性の酸と、
の低粘度混合物を含む、請求項１または２に記載の非水性前製剤であって、
前記前製剤は、水性流体との接触に際して、少なくとも１種の液晶相構造を形成するかまたは形成できる、非水性前製剤。
【請求項４】
ａ）少なくとも１種のジアシルグリセロールと、
ｂ）少なくとも１種のホスファチジルコリンと、
ｃ）少なくとも１種の酸素含有有機溶媒と、
ｄ）少なくとも１種のペプチド活性物質と、
ｅ）少なくとも１種の脂溶性の酸と、
の低粘度混合物を含む、請求項１〜３のいずれかに記載の非水性前製剤であって、
前記前製剤は、水性流体との接触に際して、少なくとも１種の液晶相構造を形成するかまたは形成できる、非水性前製剤。
【請求項５】
前記ペプチド活性物質がＧＬＰ−１受容体アゴニストである、請求項１〜４のいずれかに記載の非水性前製剤。
【請求項６】
成分ａ）が３０〜７０重量％の割合で存在する、請求項３〜５のいずれかに記載の非水性前製剤。
【請求項７】
成分ｂ）が３０〜６０重量％の割合で存在する、請求項３〜６のいずれかに記載の非水性前製剤。
【請求項８】
前記有機溶媒が０．１〜２０重量％の割合で存在する、請求項１〜７のいずれかに記載の非水性前製剤。
【請求項９】
前記有機溶媒がエタノール、プロピレングリコールまたはそれらの混合物を含む、請求項１〜７のいずれかに記載の非水性前製剤。
【請求項１０】
ヒト以外の動物の身体へのペプチド活性物質の送達方法であって、
請求項１〜９のいずれかに記載の非水性前製剤を非経口投与することを含む方法。
【請求項１１】
請求項１〜９のいずれかに記載の非水性前製剤をインビボで水性流体に曝露することを含む、デポー組成物の調製方法。
【請求項１２】
対象者へのペプチド生物活性物質の投与に適した非水性前製剤の形成プロセスであって、
ｉ）非高分子の除放性マトリクスと、
ｉｉ）少なくとも１種の生体適合性の酸素含有有機溶媒との低粘度混合物を形成すること、ならびに
少なくとも１種のペプチド活性物質と少なくとも１種の脂溶性の酸とを前記低粘度混合物に、または前記低粘度混合物を形成する前に成分ｉ）もしくはｉｉ）の少なくとも一方に、溶解または分散させることを含む、プロセス。
【請求項１３】
前記ペプチド活性物質の持続投与のための請求項１〜９のいずれかに記載の非水性前製剤。
【請求項１４】
ヒト以外の哺乳類対象者の治療方法であって、
前記対象者に請求項１〜９のいずれかに記載の非水性前製剤を投与することを含む方法。
【請求項１５】
糖尿病、Ｉ型糖尿病、ＩＩ型糖尿病、過剰体重、および肥満から選ばれる少なくとも１つの症状に対処するための、治療を必要とするヒト以外の哺乳類対象者の治療のための請求項１４に記載の方法であって、
前記前製剤がＧＬＰ−１受容体アゴニストを含む方法。
【請求項１６】
ヒトまたはヒト以外の哺乳類対象者の美容的な処置方法であって、
前記対象者に請求項１〜９のいずれかに記載の非水性前製剤を投与することを含む方法。
【請求項１７】
Ｉ型糖尿病、ＩＩ型糖尿病、過剰体重、および／または肥満の治療用デポーのインビボ形成用の請求項１〜９のいずれかに記載の低粘度前製剤薬剤。
【請求項１８】
請求項１〜９のいずれかに記載の前製剤を含む充填済み投与装置。
【請求項１９】
請求項１８に記載の投与装置を含むキット。
【請求項２０】
請求項１１に記載の調製方法により得られたデポー組成物であり、前記組成物が、Ｉ型糖尿病、ＩＩ型糖尿病、過剰体重、および／または肥満の治療用であるデポー組成物。
【請求項２１】
Ｉ型糖尿病、ＩＩ型糖尿病、過剰体重、および／または肥満の治療用である、請求項１〜９のいずれかに記載の非水性前製剤。
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
シグナルペプチド、ヒトNotchレセプタータンパク質の細胞外ドメインおよびそれに対して結合する抗体のFc部分を含む融合タンパク質であって、前記Notchレセプタータンパク質がNotch１、Notch２、Notch３またはNotch４レセプタータンパク質であり、且つ、前記抗体の当該Fc部分がヒト抗体のFc部分である融合タンパク質。
【請求項２】
当該シグナルペプチドがNotch１、Notch２、Notch３、Notch４またはIgG重鎖のシグナルペプチドである請求項１の融合タンパク質。
【請求項３】
当該Notch１レセプタータンパク質の細胞外ドメインが、EGF様反復1−36、1-13、1-24、9-23、9-36、13-24または25-36を含む請求項２の融合タンパク質。
【請求項４】
当該Notch4レセプタータンパク質の細胞外ドメインが、EGF様反復1−29、1-13、1-23、9-23、9-29、13-23または21-29を含む請求項２の融合タンパク質。
【請求項５】
配列番号５４、５５、５６、５７、５８、５９、６０、６１、６２、６３または６４に記載の配列である連続したアミノ酸を含む請求項３の融合タンパク質。
【請求項６】
配列番号７８、７９、８０、８１、８２、８３、８４、８５、８６、８７または８８に記載の配列である連続したアミノ酸を含む請求項４の融合タンパク質。
【請求項７】
請求項１〜６の何れか1項に記載の融合タンパク質と薬学的に許容される担体とを含む薬学的組成物。
【請求項８】
腫瘍を有する対象の治療のための薬学的組成物を製造するための請求項１〜６の何れか1項に記載の融合タンパク質の使用。
【請求項９】
対象における脈管形成を阻害するための薬学的組成物を製造するための請求項１〜６の何れか1項に記載の融合タンパク質の使用。
【請求項１０】
卵巣癌を有する対象の治療のための薬学的組成物を製造するための請求項１〜６の何れか1項に記載の融合タンパク質の使用。
【請求項１１】
代謝性疾患を有する対象の治療のための薬学的組成物を製造するための請求項１〜６の何れか1項に記載の融合タンパク質の使用。
【請求項１２】
当該代謝性疾患が、糖尿病、肥満、アテローム性動脈硬化、虚血、脳卒中、または循環器病である請求項１１の使用。
【請求項１３】
対象における生理学的なリンパ管形成または病理学的なリンパ管形成を阻害するための薬学的組成物の製造における請求項１〜６の何れか1項に記載の融合タンパク質の使用。
【請求項１４】
当該病理学的なリンパ管形成が腫瘍リンパ管形成またはリンパ節転移である請求項１３の使用。
【請求項１５】
対象における腫瘍転移を阻害するための薬学的組成物の製造のための請求項１〜６の何れか1項に記載の融合タンパク質の使用。
【請求項１６】
当該転移が血管、リンパ性脈管構造またはリンパ節を介して生じる請求項１５の使用。
【請求項１７】
対象における血管性増殖性網膜症の治療のための薬学的組成物の製造のための請求項１−６の何れか1項に記載の融合タンパク質の使用。
【請求項１８】
前記血管性増殖性網膜症が、糖尿病性網膜症、黄斑変性（macular defernation）または未熟児網膜症である請求項１７の使用。
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
エリスロポエチンの不足又は低数の赤血球集団若しくは欠陥性赤血球集団を特徴とする障害を有する患者を処置するための方法で使用するための、エリスロポエチン受容体（ＥＰＯ−Ｒ）に結合してそれを活性化する式Ｉの化合物であって、前記方法は前記化合物の治療有効量を前記患者に投与することを含み、前記治療有効量が前記患者の体重１キログラムにつき０．０２５〜０．５ミリグラムの化合物という投薬量である、化合物：
【化８９】
2010536858.tif 000001
［式中、ＰＥＧは、２０，０００〜５０，０００ダルトンの分子量を有するポリエチレングリコール部分である］。
【請求項２】
前記化合物が式Ｉａ：
【化９０】
2010536858.tif 000002
である、請求項１に記載の化合物。
【請求項３】
医薬的に許容できる担体をさらに含む、請求項１または２に記載の化合物。
【請求項４】
前記障害が腎不全又は透析である、請求項１〜３のいずれか１項に記載の化合物。
【請求項５】
前記治療有効量が前記患者の体重１キログラムにつき０．０２５〜０．２ミリグラムの化合物という投薬量である、請求項４に記載の化合物。
【請求項６】
前記投薬量が前記患者の体重１キログラムにつき０．０５〜０．１ミリグラムの化合物である、請求項５に記載の化合物。
【請求項７】
前記障害が悪性疾患に関連する貧血である、請求項１〜３のいずれか１項に記載の化合物。
【請求項８】
前記治療有効量が前記患者の体重１キログラムにつき０．０７５〜０．５ミリグラムの化合物という投薬量である、請求項７に記載の化合物。
【請求項９】
前記投薬量が前記患者の体重１キログラムにつき０．２〜０．４ミリグラムの化合物である、請求項８に記載の化合物。
【請求項１０】
前記治療有効量が３〜４週間ごとに１回投与される、請求項１〜３のいずれか１項に記載の化合物。
【請求項１１】
前記障害が慢性腎臓疾患である、請求項１〜３のいずれか１項の化合物。
【請求項１２】
前記治療有効量が前記患者の体重１キログラムにつき０．２５〜１．２５ミリグラムの化合物という投薬量である、請求項１１に記載の化合物。
【請求項１３】
前記投薬量が前記患者の体重１キログラムにつき０．５〜０．７５ミリグラムの化合物である、請求項１２に記載の化合物。
【請求項１４】
前記治療有効量が３〜６週間ごとに１回投与される、請求項１１に記載の化合物。
【請求項１５】
前記治療有効量が４週間ごとに１回投与される、請求項１４に記載の化合物。
【請求項１６】
前記治療有効量が静脈内注射又は皮下注射のいずれかによって投与される、請求項１１に記載の化合物。
【請求項１７】
前記治療有効量が皮下注射によって投与される、請求項１６に記載の化合物。
【請求項１８】
前記治療有効量が前記患者の体重１キログラムにつき０．０５〜０．５ミリグラムの化合物という投薬量である、請求項７に記載の化合物。
【請求項１９】
前記悪性疾患が固形腫瘍悪性疾患又はリンパ腫である、請求項７に記載の化合物。
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
肺癌、乳癌又は前立腺癌のための化学療法を現在受けている、過去に受けたことがある又は今後受ける予定である患者において、エリスロポエチンの欠乏又は低赤血球集団若しくは欠陥赤血球集団によって特徴づけられる障害を予防する又は治療するための医薬組成物であって、
（ａ）アミノ酸配列（ＡｃＧ）ＧＬＹＡＣＨＭＧＰＩＴ（１−ｎａｌ）ＶＣＱＰＬＲ（配列番号１４）を含む第１ペプチドモノマー；
（ｂ）アミノ酸配列（ＡｃＧ）ＧＬＹＡＣＨＭＧＰＩＴ（１−ｎａｌ）ＶＣＱＰＬＲ（配列番号１４）を含む第２ペプチドモノマー：
（ｃ）第１ペプチドモノマーを第２ペプチドモノマーに共有結合するリンカー部分；及び
（ｄ）リンカー部分とポリエチレングリコール（ＰＥＧ）部分を共有結合によって連結するスペーサー部分であって、前記ＰＥＧ部分が約１０，０００ダルトン〜約６０，０００ダルトンの分子量を有する直鎖状の非分枝ＰＥＧを含む、スペーサー部分
を含む化合物を含有する、医薬組成物。
【請求項２】
前記第１ペプチドモノマーおよび／又は第２ペプチドモノマーのアミノ酸配列がＣ末端に（ＭｅＧ）、Ｋ又は（ＭｅＧ）Ｋを付加的に含む、請求項１に記載の医薬組成物。
【請求項３】
前記第１ペプチドモノマーおよび／又は第２ペプチドモノマーのアミノ酸配列が（ＡｃＧ）ＧＬＹＡＣＨＭＧＰＩＴ（１−ｎａｌ）ＶＣＱＰＬＲＫ（配列番号１）である、請求項２に記載の医薬組成物。
【請求項４】
前記第１ペプチドモノマーおよび／又は第２ペプチドモノマーのアミノ酸配列が（ＡｃＧ）ＧＬＹＡＣＨＭＧＰＩＴ（１−ｎａｌ）ＶＣＱＰＬＲ（ＭｅＧ）（配列番号３）である、請求項２に記載の医薬組成物。
【請求項５】
前記第１ペプチドモノマーおよび／又は第２ペプチドモノマーのアミノ酸配列が（ＡｃＧ）ＧＬＹＡＣＨＭＧＰＩＴ（１−ｎａｌ）ＶＣＱＰＬＲ（ＭｅＧ）Ｋ（配列番号２）である、請求項２に記載の医薬組成物。
【請求項６】
第１ペプチドモノマーの２個のシステイン残基がジスルフィド架橋を介して共に結合しており、第２ペプチドモノマーの２個のシステイン残基がジスルフィド架橋を介して共に結合している、請求項１に記載の医薬組成物。
【請求項７】
リンカー部分がリシン残基のアミド誘導体を含む、請求項１に記載の医薬組成物。
【請求項８】
リシン残基のアミド誘導体がその側鎖の窒素原子を介して共有結合している、請求項７に記載の医薬組成物。
【請求項９】
リンカー部分が式：
【化１】
2010536857.tif 000001
によって定義される、請求項１に記載の医薬組成物。
【請求項１０】
スペーサー部分が式：
【化２】
2010536857.tif 000002
によって定義される、請求項１に記載の医薬組成物。
【請求項１１】
化合物が式：
【化３】
2010536857.tif 000003
又はその医薬的に許容される塩、水和物、溶媒和物、互変異性体、アセタール、ケタール、プロドラッグ若しくは光学異性体によってさらに定義される、請求項１に記載の医薬組成物。
【請求項１２】
化合物が、
【化４】
2010536857.tif 000004
又はその医薬的に許容される塩としてさらに定義され、それについての他の光学異性体を実質的に含まない、請求項１１に記載の医薬組成物。
【請求項１３】
ＰＥＧ部分が約１０，０００ダルトン〜約５０，０００ダルトンの分子量を有する、請求項１に記載の医薬組成物。
【請求項１４】
ＰＥＧ部分が約２０，０００ダルトン〜約４０，０００ダルトンの分子量を有する、請求項１３に記載の医薬組成物。
【請求項１５】
障害が貧血である、請求項１から１４のいずれか一項に記載の医薬組成物。
【請求項１６】
障害が化学療法起因の貧血である、請求項１５に記載の医薬組成物。
【請求項１７】
患者が膀胱、血液、骨、脳、乳房、中枢神経系、結腸、子宮内膜、食道、尿生殖路、頭部、喉頭、肝臓、肺、頸部、卵巣、膵臓、前立腺、脾臓、小腸、大腸、胃又は精巣の癌を有する、請求項１から１４のいずれか一項に記載の医薬組成物。
【請求項１８】
患者が肺癌のための化学療法を現在受けている、過去に受けたことがある又は今後受ける予定である、請求項１から１４のいずれか一項に記載の医薬組成物。
【請求項１９】
肺癌が非小細胞肺癌である、請求項１８に記載の医薬組成物。
【請求項２０】
患者が前立腺癌のための化学療法を現在受けている、過去に受けたことがある又は今後受ける予定である、請求項１から１４のいずれか一項に記載の医薬組成物。
【請求項２１】
患者が乳癌のための化学療法を現在受けている、過去に受けたことがある又は今後受ける予定である、請求項１から１４のいずれか一項に記載の医薬組成物。
【手続補正２】
【補正対象書類名】明細書
【補正対象項目名】配列表
【補正方法】変更
【補正の内容】
【配列表】
2010536857000001.app
【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
静電容量測定及び無線周波数測定のうち１つを基にして、較正記憶デバイスに含まれるパターンからデータを収集するセンサアレイと、
センサアレイからデータを受信して、データに従ってデバイスを較正するプロセッサと、
を含むデバイス。
【請求項２】
較正が、較正記憶デバイスとともに機能を行うようにデバイスを準備することを含む、請求項１記載のデバイス。
【請求項３】
機能が、較正記憶デバイスによって受容された試料の診断試験である、請求項２記載のデバイス。
【請求項４】
パターンが、高さ、幅及びコントラストのうち少なくとも１つの、複数の変形を含む、請求項１記載のデバイス。
【請求項５】
静電容量測定及び無線周波数測定のうち少なくとも１つを用いて、較正記憶デバイス上に含まれるパターンを読み取ることと、
パターンに含まれるデータを判定することと、
データに従ってデバイスを較正することであって、その較正が、較正記憶デバイスとともに機能を行うようにデバイスを準備することを含むことと、
を含む方法。
【請求項６】
機能が、較正記憶デバイスによって受容された試料の診断試験である、請求項５記載の方法。
【請求項７】
パターンが、一次元及び二次元シーケンスの少なくとも１つを含む、請求項５記載の方法。
【請求項８】
パターンが二次元シーケンスの場合、二次元シーケンスを読み取るための一次元センサアレイを通過させて二次元シーケンスをスライドさせることをさらに含む、請求項７記載の方法。
【請求項９】
パターンが、高さ、幅及びコントラストのうち少なくとも１つの、複数の変形を含む、請求項５記載の方法。
【請求項１０】
分析対象物計によって、分析対象物受容片を受容することと、
静電容量測定及び無線周波数測定のうち少なくとも１つを用いて、分析対象物受容片上に配設されたパターンを読み取ることと、
パターン内に含まれた較正データを判定することと、
較正データに従って、分析対象物計を較正することと、
分析対象物片上に分析対象物を受容することと、
較正された分析対象物計を用いて、分析対象物を分析することと、
分析結果を表示することと、
を含む方法。
【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
微小電気機械システム（ＭＥＭＳ）センサを備える装置であって、
前記センサは、
基板と、
前記基板に取り付けられた可動検知要素であって、前記可動検知要素は、前記可動検知要素の第１および第２の端部間の実質的に幾何学的中心の回転軸に対する動きに対して適合されるとともに、前記回転軸と前記第１の端部との間の第１の区分と、前記回転軸と前記第２の端部との間の第２の区分とを形成し、前記第１の区分は第１の形状を有し、前記第２の区分は、前記可動検知要素が前記回転軸に関して幾何学的に対称となるように前記第１の区分とほぼ同一の第２の形状を有し、前記第１の区分は、第１の質量を有する前記第１の区分を形成するように前記可動検知要素を通って延びる第１のアパーチャを備え、前記第２の区分は、前記第１の質量より小さい第２の質量を有する前記第２の区分を形成するように前記可動検知要素を通って延びる第２のアパーチャを備える、前記可動検知要素と、
前記基板上に位置し前記可動検知要素の前記第１および第２の区分に対向する少なくとも一つの電極とを備える、装置。
【請求項２】
前記第１のアパーチャは前記第１の区分において第１の構成で配置され、
前記第２のアパーチャは前記第２の区分において第２の構成で配置され、前記第２の構成は前記第１の構成とは異なり、前記第１および第２の構成の各々は、前記第１のアパーチャおよび前記第２のアパーチャの対応するもののサイズおよび数量を表現する、請求項１に記載の装置。
【請求項３】
前記少なくとも一つの電極は、
前記第１の区分に対向する第１の電極であって、前記第２の構成で配置され、前記第１のアパーチャに対向する第３のアパーチャを有する第１の電極と、
前記第２の区分に対向する第２の電極であって、前記第１の構成で配置され、前記第２のアパーチャに対向する第４のアパーチャを有する前記第２の電極と、を備える、請求項２に記載の装置。
【請求項４】
前記第１の区分を通って延びる第３のアパーチャと、
前記第２の区分を通って延びる第４のアパーチャと、をさらに備え、
前記第３および第４のアパーチャの各々は、前記第３および第４のアパーチャの数量及びサイズを定義する共通の構成で配置され、前記第３および第４のアパーチャは、前記可動検知要素上に前記回転軸に対して実質的に対称的に配置される、請求項２に記載の装置。
【請求項５】
微小電気機械システム（ＭＥＭＳ）センサを製造する方法であって、
基板を用意する工程と、
前記基板上に静的伝導層を第１の電極および第２の電極を備えるように形成する工程であって、前記第１の電極は前記第２の電極から電気的に絶縁されている、工程と、
前記伝導層上に犠牲層を形成する工程と、
前記犠牲層上に可動要素を形成する工程であって、前記可動要素は、前記可動要素の第１および第２の端部間の幾何学的中心である回転軸に対する動きに対して適合されるとともに、前記回転軸と前記第１の端部との間の第１の区分と、前記回転軸と前記第２の端部との間の第２の区分とを形成する、工程と、
前記可動要素の前記第１の区分を通って延びる第１のアパーチャを形成して、第１の質量を有する前記第１の区分を形成する工程と、
前記可動要素の前記第２の区分を通って延びる第２のアパーチャを形成して、前記第１の質量よりも小さい第２の質量を有する前記第２の区分を形成する工程と、
前記伝導層が前記可動要素から離れて配置されるように前記犠牲層を選択的に取り除き、前記第１の電極が前記第１のアパーチャに面して第２の電極が前記第２のアパーチャに対向するように前記伝導層を形成する工程と、を備える方法。
【請求項６】
前記第１のアパーチャを前記第１の区分の第１の遠位領域に渡って第１の構成で配置されるように形成する工程であって、前記第１の遠位領域は前記第１の端部に隣接して配置される、工程と、
前記第２のアパーチャを前記第２の区分の第２の遠位領域に渡って第２の構成で配置されるように形成する工程であって、前記第２の遠位領域は前記第２の端部に隣接して配置され、前記第２の構成は前記第１の構成とは異なり、前記第１および第２の構成はそれぞれ、前記第１のアパーチャおよび前記第２のアパーチャの対応するもののサイズおよび数量を表す、工程とをさらに備える請求項５に記載の方法。
【手続補正２】
【補正対象書類名】明細書
【補正対象項目名】発明の名称
【補正方法】変更
【補正の内容】
【発明の名称】微小電気機械システム（ＭＥＭＳ）センサを備える装置およびそのセンサの製造方法
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
カードのコア（４，２４）内に電子ディスプレイ（１０）を有するカード（３８，４８）において、
前記カード（３８，４８）は、前記コア（４，２４）の上方に、プラスティック材料層（４０）を有し、
前記プラスティック材料層（４０）の第１部分（４２）は、不透明材料で形成され、
前記プラスティック材料層（４０）のディスプレイ部分（４４）は、前記電子ディスプレイ（１０）の上方に配置され、透明材料で形成される
ことを特徴とするカード。
【請求項２】
前記プラスティック材料層（４０）は、前記コア（４，２４）の上部表面に直接配置される
ことを特徴とする請求項１記載のカード。
【請求項３】
前記プラスティック材料層（４０）と前記コア（４，２４）は、接着層（３４，３６）で組み立てられる
ことを特徴とする請求項１記載のカード。
【請求項４】
前記コア（４，２４）は、レジン（６）で形成され、
前記レジン（６）内に、電子ユニットと前記電子ディスプレイ（１０）が埋設される
ことを特徴とする請求項２又は３記載のカード。
【請求項５】
前記レジン（６）は、透明であり、前記電子ディスプレイ（１０）をカバーする
ことを特徴とする請求項４記載のカード。
【請求項６】
前記電子ディスプレイ（１０）の上面と前記コア（４，２４）の上面とは、面一である
ことを特徴とする請求項２記載のカード。
【請求項７】
前記プラスティック材料層（４０）の第１部分（４２）は、開口（４６）を有する不透明なプラスティック材料製シート（５０）で形成され、
前記開口（４６）内に、前記ディスプレイ部分（４４）が配置される
ことを特徴とする請求項１−６のいずれかに記載のカード。
【請求項８】
前記プラスティック材料層（４０）の前記ディスプレイ部分（４４）は、前記開口（４６）内に配置された透明なプレートで形成される
ことを特徴とする請求項７記載のカード。
【請求項９】
前記ディスプレイ部分（４４）を構成する透明材料は、前記開口（４６）内に注入される
ことを特徴とする請求項７記載のカード。
【請求項１０】
前記プラスティック材料層（４０）の厚さは、一定である
ことを特徴とする請求項１−９のいずれかに記載のカード。
【請求項１１】
前記プラスティック材料層（４０）の上に配置された透明な外側フィルム（１２）を更に有し、
パターン（１４）が、前記プラスティック材料層（４０）の第１部分（４２）の上、前記透明な外側フィルム（１２）の外側又は内側のいずれかにプリントされ、
前記プリントされたパターン（１４）が、前記第１部分（４２）に対向している
ことを特徴とする請求項１−１０のいずれかに記載のカード。
【請求項１２】
前記プラスティック材料層（４０）は、前記外側フィルム（１２）でカバーされる
ことを特徴とする請求項１−１１のいずれかに記載のカード。
【請求項１３】
接着層（３４）が、前記プラスティック材料層（４０）と前記外側フィルム（１２）との間に配置される
ことを特徴とする請求項１１又は１２のいずれかに記載のカード。
【請求項１４】
接着層（３４）が、前記電子ディスプレイ（１０）と前記ディスプレイ部分（４４）との間に配置される
ことを特徴とする請求項１−１３のいずれかに記載のカード。
【請求項１５】
前記ディスプレイ部分（４４）は、拡大鏡の効果を有する
ことを特徴とする請求項１−１４のいずれかに記載のカード。
【請求項１６】
前記ディスプレイ部分（４４）は、フレネルレンズを形成する
ことを特徴とする請求項１５記載のカード。
【請求項１７】
カード（３８，４８）を大量生産する際の中間生成品において、
前記カード（３８，４８）は、そのコア（４，２４）内に電子ディスプレイ（１０）を有し、
前記中間生成品（５２）は、不透明なプラスティック材料シート（４２）で形成され、
前記プラスティック材料シート（４２）は、複数の開口（４６）を有し、
前記複数の開口（４６）は、複数の前記電子ディスプレイ（１０）用の複数のウインドウを規定し、
複数の透明なプレート（４４）が、前記複数の開口（４６）内にそれぞれ配置され、前記不透明なプラスティック材料シート（４２）に組み立てられる
ことを特徴とするカードを大量生産する際の中間生成品。
【請求項１８】
前記複数の透明なプレート（４４）の透明部分は、前記複数の開口（４６）の各開口内に配置された透明なプレート（４４）で形成される
ことを特徴とする請求項１７記載の中間生成品。
【請求項１９】
複数のプリントされたパターン（１４、２０）と透明なフィルム（１２，１８）とを更に有し、
前記複数のプリントされたパターン（１４、２０）は、前記不透明なプラスティック材料シート（４２）表面に配置され、
前記透明なフィルム（１２，１８）は、前記複数のプリントされたパターン（１４、２０）がある側で、前記不透明なプラスティック材料シート（４２）に組み立てられる
ことを特徴とする請求項１７又は１８記載の中間生成品。
【請求項２０】
接着層（３４）を更に有し、
前記接着層（３４）は、前記透明なフィルム（１２，１８）と前記不透明なプラスティック材料シート（４２）との間に配置される
ことを特徴とする請求項１９記載の中間生成品。
【請求項２１】
請求項１８記載の中間生成品を製造する方法において、
（Ａ）透明なプレート（４４）を形成するステップと、
（Ｂ）前記（Ａ）ステップで形成された透明なプレート（４４）を、前記プラスティック材料シート（４２）の開口（４６）内に配置するステップと、
（Ｃ）前記透明なプレート（４４）を前記開口（４６）内に、溶接方法、接着方法、積層方法のいずれかにより、保持するステップと
前記（Ｃ）ステップにより、前記透明なプレート（４４）の側面が前記開口（４６）の側面に取り付けられる
を有する
ことを特徴とする請求項１８記載の中間生成品を製造する方法。
【請求項２２】
（Ｄ）接着層（３４）が付着した透明なフィルム（１２，１８）を、前記不透明なプラスティック材料シート（４２）の面に当てて配置して、それに組み立てるステップ
前記接着層（３４）が、前記透明なプレート（４４）を前記開口（４６）内に保持する
を更に有する
ことを特徴とする請求項２１記載の方法。
【請求項２３】
前記（Ｄ）ステップの前に、
（Ｅ）前記不透明なプラスティック材料シート（４２）の面に複数のパターンを印刷するステップ
を更に有する
ことを特徴とする請求項２２記載の方法。
【請求項２４】
前記不透明なプラスティック材料シート（４２）と前記透明なフィルム（１２，１８）と前記電子ディスプレイ（１０）とで形成された組み立て体を、積層して多層構造体を形成する
ことを特徴とする請求項１９又は２０記載の方法。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
リムーバブル記憶装置上の内容になされた修正の迅速な検出のためのシステムであって：
そのリムーバブル記憶装置上の内容に修正がなされたことを示すコードを有するリムーバブル記憶装置と；
リムーバブル記憶装置のコードを読み、そのコードをメモリ中の以前に記憶されたコードと比較し、リムーバブル記憶装置のコードの値が以前に記憶されたコードの値と等しいときにそのリムーバブル記憶装置のための以前に確立されたファイル・システム・データベース構造をマウントするメディア・プロセッサとを有する、
システム。
【請求項２】
リムーバブル記憶装置上の内容に対する修正を迅速に検出する方法であって：
メディア・プロセッサによってリムーバブル記憶装置からコードを読み、そのコードを前記リムーバブル記憶装置上の内容に修正がなされたことを示すためのメモリ中の以前に記憶されたコードと比較し；
前記リムーバブル記憶装置のコードの値が以前に記憶されたコードの値と等しいときにそのリムーバブル記憶装置のための以前に確立されたファイル・システム・データベース構造をマウントすることを含む、
方法。
【請求項３】
リムーバブル記憶装置であって：
コントローラと；
不揮発性メモリと；
ファイル・メモリ中の内容に対して修正がなされたことを示すために前記コントローラによって更新される、不揮発性メモリに記憶されたコードとを有する、
装置。
【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
投影面に画像（９９）を投影するための結像装置において、
・動作中に放射方向に沿って電磁ビームを放射する、ビーム放射構成要素（１）
・前記ビーム放射構成要素（１）のビーム路にある、画像形成要素（２）
・前記ビーム放射構成要素（１）のビーム路にある、電磁ビームを投影面（９）に偏向するための、ビーム偏向要素（３）
・ビーム出射面（４）
を含み、この際、
・前記投影面（９）は、前記ビーム出射面（４）に対して側方にずらされており、
・前記ビーム偏向要素（３）は、レンズまたはレンズセグメントを含み、
・前記レンズまたはレンズセグメントは、前記ビーム放射構成要素（１）のビーム路において偏心されて配置されており、
・前記ビーム出射面（４）は、前記投影面（９）に対して垂直に配向されている、
ことを特徴とする結像装置。
【請求項２】
前記画像形成要素（２）は、画像（９９）を形成するために、電磁ビームに対して少なくとも部分的に透明な光学要素、および／または、電磁ビームに対して少なくとも部分的に反射性の光学要素を有する、
ことを特徴とする請求項１記載の結像装置。
【請求項３】
・前記画像形成要素（２）は、ビーム路において前記ビーム放射構成要素（１）に後置されており、
・前記ビーム偏向要素（３）は、前記ビーム放射構成要素（１）のビーム路において前記画像形成要素（２）に後置されている、
ことを特徴とする請求項１または２記載の結像装置。
【請求項４】
前記少なくとも部分的に透明な光学要素（２）は、少なくとも２つの領域を有し、これらの領域は、電磁ビームに対して互いに異なる透過率を有する、
ことを特徴とする請求項２記載の結像装置。
【請求項５】
前記少なくとも部分的に透明な光学要素（２）は、少なくとも部分的に電磁ビームに対して透過性のマトリクスを有する、
ことを特徴とする請求項４記載の結像装置。
【請求項６】
前記少なくとも部分的に透明な光学要素（２）は、液晶マトリクスおよび／または構造化されたカラーフィルタを含む、
ことを特徴とする請求項５記載の結像装置。
【請求項７】
前記ビーム偏向要素（３）と前記画像形成要素（２）は、１つの光学要素に構成されている、
ことを特徴とする請求項１〜６のいずれか一項記載の結像装置。
【請求項８】
前記ビーム偏向要素（３）および／または前記画像形成要素（２）は、電磁ビームに対して少なくとも部分的に反射性であるミラーを有する、
ことを特徴とする請求項１〜７のいずれか一項記載の結像装置。
【請求項９】
前記ビーム放射構成要素（１）の放射方向は、投影面（９）とは異なる方向に向けられている、
ことを特徴とする請求項１〜８のいずれか一項記載の結像装置。
【請求項１０】
前記ビーム放射構成要素（１）は、ビームを放射する半導体層列を有する、
ことを特徴とする請求項１〜９のいずれか一項記載の結像装置。
【請求項１１】
・前記ビーム放射構成要素（１）、前記画像形成要素（２）、前記ビーム偏向要素（３）、および前記ビーム出射面（４）は、１つのケーシング（５）内に配置されており、
・前記ビーム出射面（４）は、前記ケーシング（５）の開口部または窓（４１）として構成されている、
ことを特徴とする請求項１〜１０のいずれか一項記載の結像装置。